(57)【特許請求の範囲】
【請求項１】
作業箱と前記作業箱の中に設置された作業空間を含み、前記作業空間の中にはねじ山スリーブがスライドできるように設けられ、前記ねじ山スリーブの中には昇降装置が設けられ、前記昇降装置は前記ねじ山スリーブの昇降を制御でき、前記ねじ山スリーブの上端面には貯蔵箱が固定され、前記貯蔵箱の中には上方へ開口した貯蔵空間が設けられ、前記貯蔵空間の中には固定装置が設けられ、前記固定装置は輸送待ちのワクチンを固定でき、前記作業空間の右壁には前記貯蔵箱の上側に位置する密封箱が固定され、前記密封箱の中には左方へ開口した密封空間が設けられ、前記密封空間の中にはスライド板がスライドできるように設けられ、前記スライド板の右端面と前記密封空間の右壁が第一ばねによって連結され、前記スライド板の下端面には冷凍器が固定され、前記スライド板は前記貯蔵空間の上側まで左方へスライドして前記貯蔵空間の上の口を塞がることができ、前記冷凍器が作動し前記貯蔵空間の中のワクチンを低温冷蔵し、前記作業箱の上端には前記貯蔵箱の上側に位置する矩形貫穴が貫通するように設けられ、前記作業箱の上端壁には前記矩形貫穴の下側に位置する回転密封板がヒンジによって連結され、前記回転密封板は前記矩形貫穴の下の口を塞がることができ、前記回転密封板が下方へ回転し前記矩形貫穴の下の口を塞がなくなり、前記ねじ山スリーブが上方へスライドし前記貯蔵箱を駆動し上方へスライドさせ、輸送必要のあるワクチンを前記貯蔵空間の中に入れることを特徴とするワクチンコールドチェーン輸送用低温貯蔵箱。
【請求項２】
前記昇降装置は前記作業空間の下壁に固定的に連結された位置制限ブロックを含み、前記位置制限ブロックの中には上方へ開口した位置制限空間が設けられ、前記ねじ山スリーブの一部が前記位置制限空間の中に位置し、且つ前記作業空間の中まで上方へ延びており、前記作業空間の下壁には前記位置制限空間の中に位置するねじボルトが回転できるように設けられ、前記ねじボルトの底部には第一プーリーが固定され、前記ねじボルトが前記ねじ山スリーブとねじ山によって連結され、前記ねじ山スリーブの底部末端には矩形固定ブロックが固定され、前記矩形固定ブロックが前記位置制限空間の円周方向の壁と当接し、前記ねじ山スリーブの上方へのスライドを制限し、前記位置制限ブロックの左端底部には前記第一プーリーの左側に位置する貫穴が貫通するように設けられていることを特徴とする請求項１に記載のワクチンコールドチェーン輸送用低温貯蔵箱。
【請求項３】
前記固定装置は前記貯蔵箱の中に位置する環状空き空間を含み、前記環状空き空間の中には固定保温綿がスライドできるように設けられ、前記固定保温綿は前記貯蔵空間の中のワクチンを固定し保温でき、前記固定保温綿と前記環状空き空間の向き合っている端面が第二ばねによって連結され、前記貯蔵箱の底部には上方へ開口した凹空間が固定され、前記凹空間の中には凹形スライドブロックがスライドできるように設けられ、前記凹形スライドブロックの下端面と前記凹空間の下壁が第三ばねによって連結され、前記凹形スライドブロックの下端面と前記固定保温綿の離れている端面が第一引き紐によって連結され、ワクチンが前記凹形スライドブロックの中に置かれたとき、前記第一引き紐が緩み前記第二ばねを復帰させ、前記第二ばねが復帰し前記固定保温綿を弾き出し、ワクチンを固定し、前記貯蔵箱の底部外端壁には環状空間が設けられ、前記貯蔵箱の外端壁には前記環状空間の外側に位置する環状ラックが回転できるように設けられ、前記環状ラックの内端面には引っ掛かりブロックが固定され、前記引っ掛かりブロックが前記環状空間の中まで内側へ延びていることを特徴とする請求項２に記載のワクチンコールドチェーン輸送用低温貯蔵箱。
【請求項４】
前記作業空間の左壁にはラックがスライドできるように設けられ、前記ラックの上端面には固定ブロックが固定され、前記固定ブロックの上端面と前記作業空間の上壁が第四ばねによって連結され、前記固定ブロックの右端面にはヒンジロッドがヒンジによって連結され、前記ヒンジロッドのもう一端が前記回転密封板の下端面にヒンジによって連結され、前記作業空間の前後壁には前記ラックの右側に位置する第一回転軸が回転できるように設けられ、前記第一回転軸には前記ラックの右歯面と噛合する第一歯車が固定され、前記第一回転軸には前記第一歯車の後ろ側に位置する第一傘歯車が固定され、前記第一歯車が回転するとき、前記ラックが上方へスライドさせられ、前記ヒンジロッドによって前記回転密封板を上方へ回転させ、前記矩形貫穴の下の口を塞ぐことを特徴とする請求項３に記載のワクチンコールドチェーン輸送用低温貯蔵箱。
【請求項５】
前記作業空間の下壁には前記第一歯車の下側に位置するモーターが固定され、前記モーターの上端面にはモーター軸が回転できるように設けられ、前記モーター軸には第二歯車が固定され、前記モーター軸の頂部頂端には第一片方向軸受が固定され、前記第一片方向軸受の外端壁には前記第一傘歯車と噛合している第二傘歯車が固定され、前記モーターが作動し逆回転するとき、前記第二傘歯車が前記第一片方向軸受の作用によって回転することを特徴とする請求項４に記載のワクチンコールドチェーン輸送用低温貯蔵箱。
【請求項６】
前記作業空間の下壁には前記モーター軸の右側に位置する第二回転軸が回転できるように設けられ、前記第二回転軸には前記第二歯車と噛合している第三歯車が固定され、前記第二回転軸には前記第一プーリーの左側に位置する第二プーリーが固定され、前記第二プーリーと前記第一プーリーがベルトによって伝動できるように連結され、前記ベルトが前記貫穴を貫通しており、前記第二回転軸の頂部頂端には第二片方向軸受が固定され、前記第二片方向軸受の外端壁には前記環状ラックと噛合している第四歯車が固定され、前記第二回転軸が逆回転するとき、前記第四歯車が前記第二片方向軸受の作用により回転することを特徴とする請求項５に記載のワクチンコールドチェーン輸送用低温貯蔵箱。
【請求項７】
前記作業空間の下壁には前記位置制限ブロックの右側に位置する第三回転軸が回転できるように設けられ、前記第三回転軸の頂部頂端には前記環状ラックと噛合している第五歯車が固定され、前記環状ラックが回転するとき、前記第五歯車が連動し回転し、前記第三回転軸には前記第五歯車の下側に位置するリールが固定され、前記リールと前記スライド板の左端面が第一引き紐によって連結され、前記リールが回転し前記第一引き紐を引き動かし、前記スライド板が左方へスライドさせられ、前記貯蔵空間の上の口を塞ぐことを特徴とする請求項６に記載のワクチンコールドチェーン輸送用低温貯蔵箱。
【請求項８】
前記作業箱の中には前記矩形貫穴の右側に位置するスライド空間が固定され、前記スライド空間は下方へ開口しており、前記スライド空間の底壁には感知器が固定され、前記スライド空間の中にはスライドブロックがスライドできるように設けられ、前記スライドブロックの上端面と前記スライド空間の上壁が第五ばねによって連結され、前記スライドブロックの上端面が前記感知器の下端面と接触したとき、前記冷凍器が作動し、前記貯蔵空間の中のワクチンを冷凍することを特徴とする請求項１に記載のワクチンコールドチェーン輸送用低温貯蔵箱。
【発明の詳細な説明】
【技術分野】
【０００１】
本願発明は輸送設備分野を取り上げて、具体的にはワクチンコールドチェーン輸送用低温貯蔵箱である。
【背景技術】
【０００２】
ワクチンとは、感染症の予防のため各種伝染性疾患の病原菌から製した抗原である。ワクチンを輸送する際、低温貯蔵でワクチンの活性を維持する必要がある。伝統的なワクチンコールドチェーン輸送は、一台の冷凍トラックで輸送するが、全体の空間が大きいから、冷凍効果が著しくなく、電力の浪費も招きやすい。既存の一部の輸送車にある冷凍システムは効果が良くなく、ワクチンの活性に影響する。従って、上記の問題を解決するため、ワクチンコールドチェーン輸送用低温貯蔵箱が必要とされる。上記の問題に対して、本願発明は改良をした。
【先行技術文献】
【特許文献】
【０００３】
【特許文献１】中国特許出願公開第１０９２１０３６４号明細書
【発明の概要】
【発明が解決しようとする課題】
【０００４】
本願発明の目的はワクチンコールドチェーン輸送用低温貯蔵箱を提供し、それは上記の現在の技術中の問題を解決できる。
【課題を解決するための手段】
【０００５】
上記の課題を解決するため、本願発明は以下の技術プランを採用する：ワクチンコールドチェーン輸送用低温貯蔵箱は、作業箱と前記作業箱の中に設置された作業空間を含み、前記作業空間の中にはねじ山スリーブがスライドできるように設けられ、前記ねじ山スリーブの中には昇降装置が設けられ、前記昇降装置は前記ねじ山スリーブの昇降を制御でき、前記ねじ山スリーブの上端面には貯蔵箱が固定され、前記貯蔵箱の中には上方へ開口した貯蔵空間が設けられ、前記貯蔵空間の中には固定装置が設けられ、前記固定装置は輸送待ちのワクチンを固定でき、前記作業空間の右壁には前記貯蔵箱の上側に位置する密封箱が固定され、前記密封箱の中には左方へ開口した密封空間が設けられ、前記密封空間の中にはスライド板がスライドできるように設けられ、前記スライド板の右端面と前記密封空間の右壁が第一ばねによって連結され、前記スライド板の下端面には冷凍器が固定され、前記スライド板は前記貯蔵空間の上側まで左方へスライドして前記貯蔵空間の上の口を塞がることができ、前記冷凍器が作動し前記貯蔵空間の中のワクチンを低温冷蔵し、前記作業箱の上端には前記貯蔵箱の上側に位置する矩形貫穴が貫通するように設けられ、前記作業箱の上端壁には前記矩形貫穴の下側に位置する回転密封板がヒンジによって連結され、前記回転密封板は前記矩形貫穴の下の口を塞がることができ、前記回転密封板が下方へ回転し前記矩形貫穴の下の口を塞がなくなり、前記ねじ山スリーブが上方へスライドし前記貯蔵箱を駆動し上方へスライドさせ、輸送必要のあるワクチンを前記貯蔵空間の中に入れる。
【０００６】
更の技術プラン、前記昇降装置は前記作業空間の下壁に固定的に連結された位置制限ブロックを含み、前記位置制限ブロックの中には上方へ開口した位置制限空間が設けられ、前記ねじ山スリーブの一部が前記位置制限空間の中に位置し、且つ前記作業空間の中まで上方へ延びており、前記作業空間の下壁には前記位置制限空間の中に位置するねじボルトが回転できるように設けられ、前記ねじボルトの底部には第一プーリーが固定され、前記ねじボルトが前記ねじ山スリーブとねじ山によって連結され、前記ねじ山スリーブの底部末端には矩形固定ブロックが固定され、前記矩形固定ブロックが前記位置制限空間の円周方向の壁と当接し、前記ねじ山スリーブの上方へのスライドを制限し、前記位置制限ブロックの左端底部には前記第一プーリーの左側に位置する貫穴が貫通するように設けられている。
【０００７】
更の技術プラン、前記固定装置は前記貯蔵箱の中に位置する環状空き空間を含み、前記環状空き空間の中には固定保温綿がスライドできるように設けられ、前記固定保温綿は前記貯蔵空間の中のワクチンを固定し保温でき、前記固定保温綿と前記環状空き空間の向き合っている端面が第二ばねによって連結され、前記貯蔵箱の底部には上方へ開口した凹空間が固定され、前記凹空間の中には凹形スライドブロックがスライドできるように設けられ、前記凹形スライドブロックの下端面と前記凹空間の下壁が第三ばねによって連結され、前記凹形スライドブロックの下端面と前記固定保温綿の離れている端面が第一引き紐によって連結され、ワクチンが前記凹形スライドブロックの中に置かれたとき、前記第一引き紐が緩み前記第二ばねを復帰させ、前記第二ばねが復帰し前記固定保温綿を弾き出し、ワクチンを固定し、前記貯蔵箱の底部外端壁には環状空間が設けられ、前記貯蔵箱の外端壁には前記環状空間の外側に位置する環状ラックが回転できるように設けられ、前記環状ラックの内端面には引っ掛かりブロックが固定され、前記引っ掛かりブロックが前記環状空間の中まで内側へ延びている。
【０００８】
更の技術プラン、前記作業空間の左壁にはラックがスライドできるように設けられ、前記ラックの上端面には固定ブロックが固定され、前記固定ブロックの上端面と前記作業空間の上壁が第四ばねによって連結され、前記固定ブロックの右端面にはヒンジロッドがヒンジによって連結され、前記ヒンジロッドのもう一端が前記回転密封板の下端面にヒンジによって連結され、前記作業空間の前後壁には前記ラックの右側に位置する第一回転軸が回転できるように設けられ、前記第一回転軸には前記ラックの右歯面と噛合する第一歯車が固定され、前記第一回転軸には前記第一歯車の後ろ側に位置する第一傘歯車が固定され、前記第一歯車が回転するとき、前記ラックが上方へスライドさせられ、前記ヒンジロッドによって前記回転密封板を上方へ回転させ、前記矩形貫穴の下の口を塞ぐ。
【０００９】
更の技術プラン、前記作業空間の下壁には前記第一歯車の下側に位置するモーターが固定され、前記モーターの上端面にはモーター軸が回転できるように設けられ、前記モーター軸には第二歯車が固定され、前記モーター軸の頂部頂端には第一片方向軸受が固定され、前記第一片方向軸受の外端壁には前記第一傘歯車と噛合している第二傘歯車が固定され、前記モーターが作動し逆回転するとき、前記第二傘歯車が前記第一片方向軸受の作用によって回転する。
【００１０】
更の技術プラン、前記作業空間の下壁には前記モーター軸の右側に位置する第二回転軸が回転できるように設けられ、前記第二回転軸には前記第二歯車と噛合している第三歯車が固定され、前記第二回転軸には前記第一プーリーの左側に位置する第二プーリーが固定され、前記第二プーリーと前記第一プーリーがベルトによって伝動できるように連結され、前記ベルトが前記貫穴を貫通しており、前記第二回転軸の頂部頂端には第二片方向軸受が固定され、前記第二片方向軸受の外端壁には前記環状ラックと噛合している第四歯車が固定され、前記第二回転軸が逆回転するとき、前記第四歯車が前記第二片方向軸受の作用により回転する。
【００１１】
更の技術プラン、前記作業空間の下壁には前記位置制限ブロックの右側に位置する第三回転軸が回転できるように設けられ、前記第三回転軸の頂部頂端には前記環状ラックと噛合している第五歯車が固定され、前記環状ラックが回転するとき、前記第五歯車が連動し回転し、前記第三回転軸には前記第五歯車の下側に位置するリールが固定され、前記リールと前記スライド板の左端面が第一引き紐によって連結され、前記リールが回転し前記第一引き紐を引き動かし、前記スライド板が左方へスライドさせられ、前記貯蔵空間の上の口を塞ぐ。
【００１２】
更の技術プラン、前記作業箱の中には前記矩形貫穴の右側に位置するスライド空間が固定され、前記スライド空間は下方へ開口しており、前記スライド空間の底壁には感知器が固定され、前記スライド空間の中にはスライドブロックがスライドできるように設けられ、前記スライドブロックの上端面と前記スライド空間の上壁が第五ばねによって連結され、前記スライドブロックの上端面が前記感知器の下端面と接触したとき、前記冷凍器が作動し、前記貯蔵空間の中のワクチンを冷凍する。
【発明の効果】
【００１３】
本願発明はワクチンを単独に固定し冷蔵でき、輸送するときに車が揺れることによるワクチンの破損を防止し、本願発明にある冷凍機によって本願発明の中のワクチンを単独に冷凍し、良い冷凍効果を果たすことと同時に、電力を節約し、もし一個の貯蔵箱の冷凍効果が良くなくなったら、他のワクチンの活性に影響はしなく、最大限にワクチンの有効性を保証する。
【図面の簡単な説明】
【００１４】
下記に図１〜５をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１５】
【図１】図１は本願発明のワクチンコールドチェーン輸送用低温貯蔵箱の全体構成略図
【図２】図２は図１のＡ―Ａの構成略図
【図３】図３は図１の貯蔵箱３０の拡大構成略図
【図４】図４は図１のＢの構成略図
【図５】図５は図１のＣの構成略図
【発明を実施するための形態】
【００１６】
図１〜５を参照し、ワクチンコールドチェーン輸送用低温貯蔵箱は、作業箱１０と前記作業箱１０の中に設置された作業空間１１を含み、前記作業空間１１の中にはねじ山スリーブ３９がスライドできるように設けられ、前記ねじ山スリーブ３９の中には昇降装置６６が設けられ、前記昇降装置６６は前記ねじ山スリーブ３９の昇降を制御でき、前記ねじ山スリーブ３９の上端面には貯蔵箱３０が固定され、前記貯蔵箱３０の中には上方へ開口した貯蔵空間３３が設けられ、前記貯蔵空間３３の中には固定装置６７が設けられ、前記固定装置６７は輸送待ちのワクチンを固定でき、前記作業空間１１の右壁には前記貯蔵箱３０の上側に位置する密封箱２６が固定され、前記密封箱２６の中には左方へ開口した密封空間２７が設けられ、前記密封空間２７の中にはスライド板２５がスライドできるように設けられ、前記スライド板２５の右端面と前記密封空間２７の右壁が第一ばね２９によって連結され、前記スライド板２５の下端面には冷凍器２８が固定され、前記スライド板２５は前記貯蔵空間３３の上側まで左方へスライドして前記貯蔵空間３３の上の口を塞がることができ、前記冷凍器２８が作動し前記貯蔵空間３３の中のワクチンを低温冷蔵し、前記作業箱１０の上端には前記貯蔵箱３０の上側に位置する矩形貫穴２３が貫通するように設けられ、前記作業箱１０の上端壁には前記矩形貫穴２３の下側に位置する回転密封板２２がヒンジによって連結され、前記回転密封板２２は前記矩形貫穴２３の下の口を塞がることができ、前記回転密封板２２が下方へ回転し前記矩形貫穴２３の下の口を塞がなくなり、前記ねじ山スリーブ３９が上方へスライドし前記貯蔵箱３０を駆動し上方へスライドさせ、輸送必要のあるワクチンを前記貯蔵空間３３の中に入れる。
【００１７】
有益に、前記昇降装置６６は前記作業空間１１の下壁に固定的に連結された位置制限ブロック４１を含み、前記位置制限ブロック４１の中には上方へ開口した位置制限空間４０が設けられ、前記ねじ山スリーブ３９の一部が前記位置制限空間の中に位置し、且つ前記作業空間１１の中まで上方へ延びており、前記作業空間１１の下壁には前記位置制限空間４０の中に位置するねじボルト３８が回転できるように設けられ、前記ねじボルト３８の底部には第一プーリー４４が固定され、前記ねじボルト３８が前記ねじ山スリーブ３９とねじ山によって連結され、前記ねじ山スリーブ３９の底部末端には矩形固定ブロック４２が固定され、前記矩形固定ブロック４２が前記位置制限空間４０の円周方向の壁と当接し、前記ねじ山スリーブ３９の上方へのスライドを制限し、前記位置制限ブロック４１の左端底部には前記第一プーリー４４の左側に位置する貫穴４５が貫通するように設けられている。
【００１８】
有益に、前記固定装置６７は前記貯蔵箱３０の中に位置する環状空き空間３２を含み、前記環状空き空間３２の中には固定保温綿３１がスライドできるように設けられ、前記固定保温綿３１は前記貯蔵空間３３の中のワクチンを固定し保温でき、前記固定保温綿３１と前記環状空き空間３２の向き合っている端面が第二ばね５４によって連結され、前記貯蔵箱３０の底部には上方へ開口した凹空間５５が固定され、前記凹空間５５の中には凹形スライドブロック５９がスライドできるように設けられ、前記凹形スライドブロック５９の下端面と前記凹空間５５の下壁が第三ばね５６によって連結され、前記凹形スライドブロック５９の下端面と前記固定保温綿３１の離れている端面が第一引き紐５３によって連結され、ワクチンが前記凹形スライドブロック５９の中に置かれたとき、前記第一引き紐５３が緩み前記第二ばね５４を復帰させ、前記第二ばね５４が復帰し前記固定保温綿３１を弾き出し、ワクチンを固定し、前記貯蔵箱３０の底部外端壁には環状空間５８が設けられ、前記貯蔵箱３０の外端壁には前記環状空間５８の外側に位置する環状ラック３６が回転できるように設けられ、前記環状ラック３６の内端面には引っ掛かりブロック５７が固定され、前記引っ掛かりブロック５７が前記環状空間５８の中まで内側へ延びている。
【００１９】
有益に、前記作業空間１１の左壁にはラック１８がスライドできるように設けられ、前記ラック１８の上端面には固定ブロック１９が固定され、前記固定ブロック１９の上端面と前記作業空間１１の上壁が第四ばね２１によって連結され、前記固定ブロック１９の右端面にはヒンジロッド２０がヒンジによって連結され、前記ヒンジロッド２０のもう一端が前記回転密封板２２の下端面にヒンジによって連結され、前記作業空間１１の前後壁には前記ラック１８の右側に位置する第一回転軸１５が回転できるように設けられ、前記第一回転軸１５には前記ラック１８の右歯面と噛合する第一歯車１６が固定され、前記第一回転軸１５には前記第一歯車１６の後ろ側に位置する第一傘歯車１７が固定され、前記第一歯車１６が回転するとき、前記ラック１８が上方へスライドさせられ、前記ヒンジロッド２０によって前記回転密封板２２を上方へ回転させ、前記矩形貫穴２３の下の口を塞ぐ。
【００２０】
有益に、前記作業空間１１の下壁には前記第一歯車１６の下側に位置するモーター４８が固定され、前記モーター４８の上端面にはモーター軸５１が回転できるように設けられ、前記モーター軸５１には第二歯車４９が固定され、前記モーター軸５１の頂部頂端には第一片方向軸受６４が固定され、前記第一片方向軸受６４の外端壁には前記第一傘歯車１７と噛合している第二傘歯車５２が固定され、前記モーター４８が作動し逆回転するとき、前記第二傘歯車５２が前記第一片方向軸受６４の作用によって回転する。
【００２１】
有益に、前記作業空間１１の下壁には前記モーター軸５１の右側に位置する第二回転軸１２が回転できるように設けられ、前記第二回転軸１２には前記第二歯車４９と噛合している第三歯車５０が固定され、前記第二回転軸１２には前記第一プーリー４４の左側に位置する第二プーリー４７が固定され、前記第二プーリー４７と前記第一プーリー４４がベルト４６によって伝動できるように連結され、前記ベルト４６が前記貫穴４５を貫通しており、前記第二回転軸１２の頂部頂端には第二片方向軸受１４が固定され、前記第二片方向軸受１４の外端壁には前記環状ラック３６と噛合している第四歯車１４が固定され、前記第二回転軸１２が逆回転するとき、前記第四歯車１３が前記第二片方向軸受１４の作用により回転する。
【００２２】
有益に、前記作業空間１１の下壁には前記位置制限ブロック４１の右側に位置する第三回転軸４３が回転できるように設けられ、前記第三回転軸４３の頂部頂端には前記環状ラック３６と噛合している第五歯車３４が固定され、前記環状ラック３６が回転するとき、前記第五歯車３４が連動し回転し、前記第三回転軸４３には前記第五歯車３４の下側に位置するリール３７が固定され、前記リール３７と前記スライド板２５の左端面が第一引き紐２４によって連結され、前記リール３７が回転し前記第一引き紐２４を引き動かし、前記スライド板２５が左方へスライドさせられ、前記貯蔵空間３３の上の口を塞ぐ。
【００２３】
有益に、前記作業箱１０の中には前記矩形貫穴２３の右側に位置するスライド空間６２が固定され、前記スライド空間６２は下方へ開口しており、前記スライド空間６２の底壁には感知器６１が固定され、前記スライド空間６２の中にはスライドブロック６０がスライドできるように設けられ、前記スライドブロック６０の上端面と前記スライド空間６２の上壁が第五ばね６３によって連結され、前記スライドブロック６０の上端面が前記感知器６１の下端面と接触したとき、前記冷凍器２８が作動し、前記貯蔵空間３３の中のワクチンを冷凍する。
【００２４】
本願発明全体の機械作動順序は以下の通り：
初期状態に、第四ばね２１が緩み状態にあり、密封板２２を鉛直状態まで回転させ、矩形貫穴２３の下の口を開き、第五ばね６３が緩み状態にあり、スライドブロック６０の上端面と感知器６１の下端面が接触していなく、冷凍器２８が作動していなく、第一引き紐２４が緩み状態にあり、第一ばね２９が緩み状態にあり、スライド板２５が密封空間２７の中に位置し、第三ばね５６が緩み状態にあり、第一引き紐５３が引っ張られた状態にあり、第二ばね５４が圧縮状態にあり、固定保温綿３１が環状空き空間３２の中にある。
１、輸送必要のあるワクチンがあるとき、モーター４８が作動し正回転し、モーター４８がモーター軸５１を駆動し回転させ、モーター軸５１が回転し第二歯車４９を駆動し回転させ、第二歯車４９と第三歯車５０が噛合しているため、第二歯車４９が回転し第三歯車５０を回転させ、第三歯車５０が回転し第二回転軸１２を回転させ、第二回転軸１２が回転し第二プーリー４７を回転させ、第二プーリー４７と第一プーリー４４がベルト４６によって伝動できるように連結されているから、第二プーリー４７が回転し第一プーリー４４を回転させ、第一プーリー４４が回転しねじボルト３８を回転させ、ねじボルト３８が回転しねじ山スリーブ３９を矩形固定ブロック４２の作用により上方へスライドさせ、ねじ山スリーブ３９が上方へスライドし貯蔵箱３０を上方へスライドさせ、貯蔵箱３０が上方へスライドし矩形貫穴２３の上側まで着き、輸送必要のあるワクチンを貯蔵空間３３の中に入れる。
２、凹形スライドブロック５９が押されて下方へスライドし第三ばね５６を圧縮し、第三ばね５６が圧縮されることで第一引き紐５３が緩み、第一引き紐５３が緩むことで第二ばね５４が復帰し、第二ばね５４が復帰して固定保温綿３１を環状空き空間３２の中から弾き出し、ワクチンに対する固定挟み作用を果たす。
３、ワクチンが貯蔵空間３３の中に置かれて固定された後、モーター４８が作動し逆回転し、これによってねじ山スリーブ３９が下方へスライドし、モーター４８が逆回転しモーター軸５１を回転させ、モーター軸５１が回転し第二傘歯車５２を第一片方向軸受６４の作用で回転させ、第二傘歯車５２が第一傘歯車１７と噛合しているから、第二傘歯車５２が回転し第一傘歯車１７を回転させ、第一傘歯車１７が回転し第一回転軸１５を回転させ、第一回転軸１５が回転し第一歯車１６を回転させ、第一歯車１６がラック１８の前歯面と噛合しているから、第一歯車１６が回転しラック１８を上方へスライドさせ、ラック１８が上方へスライドし固定ブロック１９を上方へスライドさせ、固定ブロック１９が上方へスライドしヒンジロッド２０によって密封板２２を上方へ回転させ、矩形貫穴２３の下の口を塞ぐ。
４、密封板２２をスライドブロック６０と当接するまで回転させた後、密封板２２を上方へ回転させ、密封板２２がスライドブロック６０を押して上方へスライドさせ、スライドブロック６０が上方へスライドし感知器６１と当接し、これによって冷凍器２８が起動され、冷凍器２８が作動し冷凍効果を果たす。
５、環状ラック３６がそれぞれ第五歯車３４と第四歯車１３と噛合するまでねじ山スリーブ３９が貯蔵箱３０を下方へスライドさせたとき、第二回転軸１２が回転し第二片方向軸受１４の作用により第四歯車１３を回転させ、第四歯車１３が回転し環状ラック３６を回転させ、環状ラック３６が回転し第五歯車３４を回転させ、第五歯車３４が回転し第三回転軸４３を回転させ、第三回転軸４３が回転しリール３７を回転させ、リール３７が回転し第一引き紐２４を引き、第一引き紐２４が引っ張られてスライド板２５を左方へスライドさせ、スライド板２５が左方へスライドし貯蔵空間３３の上の口を塞ぎ、これによって冷凍器２８が貯蔵空間３３の中のワクチンに対して冷凍を行う。
【００２５】
以上に述べたのはただ本願発明の具体的な実施方式で、本願発明の保護範囲はここに限らないである。全部の創造的な労働を通じなく思いついた変化と取替は本願発明の保護範囲にカバーされる。だから本願発明の保護範囲は権利要求書が限定される保護範囲を標準とする。
【要約】
【課題】本願発明はワクチンコールドチェーン輸送用低温貯蔵箱を開示した。
【解決手段】
作業箱と前記作業箱の中に設置された作業空間を含み、前記作業空間の中にはねじ山スリーブがスライドできるように設けられ、前記ねじ山スリーブの中には昇降装置が設けられ、前記昇降装置は前記ねじ山スリーブの昇降を制御でき、前記ねじ山スリーブの上端面には貯蔵箱が固定され、前記貯蔵箱の中には上方へ開口した貯蔵空間が設けられ、前記貯蔵空間の中には固定装置が設けられ、前記固定装置は輸送待ちのワクチンを固定でき、前記作業空間の右壁には前記貯蔵箱の上側に位置する密封箱が固定され、前記密封箱の中には左方へ開口した密封空間が設けられ、前記密封空間の中にはスライド板がスライドできるように設けられ、前記スライド板の右端面と前記密封空間の右壁が第一ばねによって連結されている。
【選択図】図１【図１】
0006814353.tif 000002
【図２】
0006814353.tif 000003
【図３】
0006814353.tif 000004
【図４】
0006814353.tif 000005
【図５】
0006814353.tif 000006